(57)【特許請求の範囲】
【請求項１】
環状のアイ部と、このアイ部を片端に有する直線状のシャンク部と、このシャンク部の他端側からシャンク部と直交方向に十文字状に拡がる四本のベント部を有し、前記アイ部で囲まれる穴の中心線方向を前記シャンク部と直交する方向に設定してこの中心線方向と、四本の各ベント部のシャンク部から直交する方向での拡がり方向とを略４５°相違させたルアー用フックであって、
上端のアイとこのアイから延びるシャンクとこのシャンクの先端側から延在するＣ字状ベントを有して前記ベントに対して前記アイが約４５°に捩じり成形された一本のシングルフックと、シャンクとベントだけからなるアイ無しの三本のシングルフックとを備え、前記一本のシングルフックのシャンクの周囲に前記三本のシングルフックのシャンクを連結一体化したことを特徴とするルアー用フック。
【請求項２】
請求項１に記載のルアー用フックをルアーフィッシング用ルアー本体の腹部に連結したルアー仕掛けであって、前記フックのアイ部をルアー本体の腹部に、ルアー本体が水中を前進するルアー本体の長さ方向とアイ部の穴の中心線方向を直交又は平行にして連結し、ルアー本体が水中を前進するときに水との抵抗で四本のベント部の後方側に約４５°で拡がる隣接する二本が前記腹部の両側面へと移動するようにしたことを特徴とするルアー仕掛け。
【発明の詳細な説明】
【０００１】
【発明の属する技術分野】
本発明は、ルアーフィッシングに使用されるルアー用フックと、このフックをプラグルアーなどのルアー本体に連結したルアー仕掛けに関する。
【０００２】
【従来の技術】
ルアーフィッシングに使用されるルアー本体（プラグ、スプーン、スピナー、ジグ、ワームなど）に連結されるフックには、一本鈎針形状のシングルフックと、シングルフックの二本を連結した形状のダブルフックと、シングルフックの三本を連結した形状のトレブルフックがある。トレブルフックは三本イカリ型フックと呼ばれ、シングルフックやダブルフックに比べ魚の掛け率が良いことから、特にプラグルアーを使ったルアーフィッシングのフックとして多く使用されている。このトレブルフックをプラグルアーに連結したルアー仕掛けの具体例を図１０至図１３に示し説明する。
【０００３】
図１０は小魚に似せたプラグルアーであるルアー本体１に二本のトレブルフック５を連結したルアー仕掛け９が示される。小魚形状のルアー本体１の頭部１ａにアイ２が突設され、腹部１ｂと尾部１ｃの夫々にアイ３が突設される。頭部１ａのアイ２には図示しないライン（釣糸）が連結され、腹部１ｂと尾部１ｃのアイ３に直接に、或いは、スプリットリング４を介してトレブルフック５が揺動可能に連結される。
【０００４】
トレブルフック５は図１１（Ａ）（Ｂ）に示すような三本イカリ型フックで、円環状のアイ部６と直線状のシャンク部７と三本の略Ｃ字状ベント部８を有する。アイ部６からシャンク部７が延び、シャンク部７の先端側からシャンク部７と直交する方向に略１２０°間隔で延在して、三本イカリ型フックを構成する。アイ部６にスプリットリング４が直交させて連結され、スプリットリング４がルアー本体１のアイ３に直交させて連結される。
【０００５】
【発明が解決しようとする課題】
図１０のルアー本体１を水中に投入して小魚が泳ぐように前進させる（リーリング）と、ルアー本体１の腹部１ｂと尾部１ｃのトレブルフック５が水との抵抗でルアー本体１に沿うように傾斜し、この状態でトレブルフック５のベント部８の針先（ポイント）がルアー本体１に突進してきた魚に引っ掛かる。このリーリング時にルアー本体１の腹部１ｂのトレブルフック５は、図１２及び図１３に示すように三本のベント部８の内の二本が腹部１ｂの両側に接触又は接近するようにルアー本体１に沿う。そのため、腹部１ｂのトレブルフック５の場合は、腹部１ｂに接触又は接近した二本のベント部８を除く残り一本のベント部８だけが腹部１ｂから大きく突出し、この一本に魚が引っ掛かるが、腹部１ｂに沿う二本のベント部８には魚が引っ掛かりにくくて、腹部１ｂのトレブルフック５の実質的な魚の掛け率が低下することがある。
【０００６】
それ故に、本発明の目的とするところは、ルアー本体の腹部などの一部に連結されるフックの実質的な魚の掛け率を向上させるルアー用フックを提供することにある。
【０００７】
【課題を解決するための手段】
本発明のルアー用フックは、環状のアイ部と、このアイ部を片端に有する直線状のシャンク部と、このシャンク部の他端側からシャンク部と直交方向に十文字状に延在するベント部を有する。
【０００８】
この発明のルアー用フックは、共通の一本のシャンク部から四本のベント部を十文字状に延在させた四本イカリ型フックである。この四本イカリ型フックの具体的構造を例示するならば、四本のシングルフックのシャンク部同士を連結した構造が挙げられる。四本イカリ型フックの製造組立に使用されるシングルフックは、全て同一サイズ、種類のフックを組み合わせたものに限らず、大小異なるサイズのシングルフックを任意に選択して製造組立することも有効である。
【０００９】
本発明のルアー用フックにおいて、上記アイ部の穴の中心線方向をシャンク部と直交する方向に設定してこの中心線方向と、四本の各ベント部のシャンク部から直交する方向での拡がり方向とを略４５°相違させる。また、アイ部の穴の中心線が、隣り合うベント部がなす角を二等分する線と一致する。このように四本イカリ型フックにおけるアイ部のベント部に対する方向性を規制することで、同フックをプラグルアーなどのルアー本体に連結するときにルアー本体に対するフックの方向性が安定して、同フックによる魚の掛け率の安定した向上化が容易となる。
【００１０】
本発明のルアー仕掛けは、前記フックのアイ部をルアー本体の一部に、ルアー本体が水中を前進する方向のルアー本体長さ方向とアイ部の穴の中心線方向を直交させ又は平行にして連結したことを特徴とする。ルアー用フックのアイ部が四本の十文字状のベント部に対して略４５°の角度をなすため、アイ部をルアー本体にルアー本体の長さ方向に直交するか平行となる姿勢で連結することで、ルアー本体が水中を前進するときに四本のベント部の隣接する二本がルアー本体に接触又は接近して他の二本のベント部が確実にルアー本体から大きく離れて、ルアー本体を呑み込もうとする魚の口腔やルアー本体に向かって突進してくる魚の一部に引っ掛かりやすくなる。このときの四本イカリ型フックの魚の掛け率は、単純計算で三本イカリ型フックの掛け率の約２倍となる。また、魚の口に二本掛かる確率が高くなる。
【００１１】
【発明の実施の形態】
図１に示されるルアー用フック１０は四本イカリ型フックで、素材の鋼線を円環状に曲げ成形したアイ部１１と、アイ部１１を片端に有する直線状のシャンク部１２と、シャンク部１２の他の片端からシャンク部１２の軸線と直交する方向に十文字状に拡がる四本のベント部１３を有する。四本のベント部１３の各々は、針先（ポイント）近くにカエリ１４を有する同一サイズの鉤針形状であるが、カエリのないスレ針形状であってもよい。シャンク部１２は、四本のベント部１３からの鋼線を束ねて符合１５で示すようにロウ付け、半田付け、溶接などにより結合して構成される。
【００１２】
図１（Ａ）に示すようにアイ部１１の穴の中心線をＬとすると、この中心線Ｌの方向はシャンク部１２の軸線と略直交する方向にあり、かつ、中心線Ｌの方向と四本の各ベント部１３のシャンク部１２からの拡がり方向との間に約４５°の角度θが設定される。言い換えるならば、穴の中心線Ｌは隣り合ったベント部１３がなす角（２θ）を概ね二等分する。この角度θは、シャンク部１２に対してアイ部１１を横に捻るなどして調整可能に設定される。
【００１３】
フック１０を取り付けたルアー仕掛けの具体例を図２（Ａ）（Ｂ）に示すと、このルアー仕掛け３０は図９の小魚に似せたルアー本体１に二本のフック１０を取り付けている。ルアー本体１の腹部１ｂに突設したアイ３にスプリットリング４を介して一本のフック１０のアイ部１１が連結され、同様にしてルアー本体１の尾部１ｃにも一本のフック１０が連結される。以下、腹部１ｂに取り付けられるフック１０を主体に説明を続行する。
【００１４】
腹部１ｂのアイ３はルアー本体１の長さ方向（図２（Ａ）の左右方向）に平行で、このアイ３にスプリットリング４が直交させて連結され、このスプリットリング４に直交させてフック１０のアイ部１１が連結される。したがって、腹部１ｂのアイ３とフック１０のアイ部１１は平行な関係にあり、アイ部１１の穴中心線はルアー本体１の長さ方向と平行な関係に保持される。図２のルアー仕掛け３０はルアー本体１からフック１０が自重で吊り下げられた状態が示され、このときのフック１０の四本のベント部１３は、隣接する二本が前方に約４５°で拡がり、残り二本が後方に約４５°で拡がるほぼ安定した姿勢に保持される。
【００１５】
ルアー本体１の長さ方向とは、ルアーフィッシングのリーリング時にルアー本体１を水中で前進させる方向である。ルアー本体１を水中で前進させて魚を誘発するとき、図３（Ａ）に示すようにルアー本体１の腹部１ｂのフック１０が水との抵抗で腹部１ｂのアイ３を支点に後方に揺動してルアー本体１の腹部１ｂへと近付く。このとき、四本のベント部１３の後方側に約４５°で拡がる隣接する二本が、図３（Ｂ）に示すように腹部１ｂの両側面へと移動して接触又は接近し，他方でフック１０の前方側に約４５°で拡がる残り二本が腹部１ｂから大きく突出し、この二本にルアー本体１に接近した魚が引っ掛かるようになる。
【００１６】
したがって、図１２の三本イカリ型のトレブルフックのように一本のベント部で魚を引っ掛けるルアー用フックに比べ、四本イカリ型フックは二本のベント部で魚を引っ掛けるので魚の掛け率が約２倍と向上する。而も、図３の状態のとき、魚を引っ掛ける二本のベント部の姿勢が、ルアー本体の腹部両側面に接触又は接近する残り二本によって安定的に保持されるため、魚の掛け率が安定して釣果が向上する。
【００１７】
図２のルアー仕掛け３０はルアー本体１の腹部１ｂにアイ３とスプリットリング４を介して四本イカリ型フック１０のアイ部１１を連結し、アイ部１１の穴中心線方向とルアー本体１の長さ方向を直交させたが、ルアー本体１の長さ方向にアイ部１１の穴中心線方向が平行になるように腹部１ｂにアイ部１１を連結するようにしてもよい。つまり、ルアー本体１の腹部１ｂに取り付けられる図２の四本イカリ型フック１０が横に９０°回転しても、前後二本ずつの計四本のベント部１３のルアー本体１に対する方向性は変わらず、ルアー本体１を水中で前進させるとフック１０は図４と同じ状態となって魚の掛け率を上げる。
【００１８】
図１に示した四本イカリ型フック１０の具体的構成としては種々のものが考えられる。図４乃至図９に従って順次説明する。
【００１９】
図４の実施の形態では、一本のダブルフック２１と二本のシングルフック２２で四本イカリ型のルアー用フック１０が構成されている。ダブルフック２１は中央のアイ２１ａと、アイ２１ａから延びる二本のシャンク２１ｂと、シャンク２１ｂの先端側から１８０°反対方向に延在する二本のＣ字状ベント２１ｃを有し、ベント２１ｃに対してアイ２１ａが約４５°に捩じり成形される。各シングルフック２２はシャンク２２ｂとベント２２ｃだけからなるアイ無しの鈎針である。ダブルフック２１の二本の平行なシャンク２１ｂの表裏両面側に二本のシングルフック２２のシャンク２２ｂを添着して、これらの四本のシャンクを連結一体化することで、四本イカリ型のルアー用フック１０が製造される。
【００２０】
図５の実施の形態では、一本のアイ付きシングルフック２３と三本のアイ無しシングルフック２４で四本イカリ型のルアー用フック１０が構成されている。アイ付きシングルフック２３は上端のアイ２３ａと、アイ２３ａから延びるシャンク２３ｂと、シャンク２３ｂの先端側から１８０°反対方向に延在するＣ字状ベント２３ｃを有し、ベント２３ｃに対してアイ２３ａが約４５°に捩じり成形される。三本のシングルフック２４はシャンク２４ｂとベント２４ｃだけからなるアイ無しの鈎針である。シングルフック２３のシャンク２３ｂの周囲に三本のシングルフック２４のシャンク２４ｂを添着して、これらの四本のシャンクを連結一体化することで、四本イカリ型のルアー用フック１０が製造される。
【００２１】
図６の実施の形態では、同一サイズの二本のダブルフック２５で四本イカリ型のフック１０が構成されている。各ダブルフック２５は中央のアイ２５ａと、アイ２５ａから延びる二本の互いに接近したシャンク２５ｂと、各シャンク２５ｂの先端側から９０°の拡開角度で拡がるＣ字状のベント２５ｃを有し、各ベント２５ｃに対してアイ２５ａは約４５°の方向に成形される。カエシ付きの場合を図示してあるが、もちろんカエシは付いていなてくもよい。二本のダブルフック２５のアイ２５ａとシャンク２５ｂを重合させて結合することで、四本イカリ型のフック１０が製造される。
【００２２】
図７の実施の形態では、図６に示された上述のダブルフック２５と別の一本のダブルフック２６とで四本イカリ型のフック１０が構成されている。二本のダブルフック２５、２６は同一サイズであるが、一方のダブルフック２６はアイ無しである。アイ無しダブルフック２６は、一本の鋼線を中央から二つ折りに折り曲げた平行な二本のシャンク２６ｂと、このシャンク２６ｂの先端の延長である二本のベント２６ｃを有する。このダブルフック２６のシャンク２６ｂを他の一本のダブルフック２５のシャンク２５ｂに重ねて一体化することにより、四本イカリ型フック１０を製造することができる。
【００２３】
図８の実施の形態では、図７に示された上述のダブルフック２５と、このダブルフック２５とは長さ方向のサイズが異なる別の一本のダブルフック２７とで、四本イカリ型のフック１０が構成されている。一方のダブルフック２７はアイ無しのダブルフックで、一本の鋼線を二つ折りしたシャンク２７ｂと、シャンク２７ｂの先端から屈曲させた二本のベント２７ｃを有し、シャンク２７ｂの長さが図７のものより長く設定してある。この場合、二本のダブルフック２５、２７を各々のシャンク２５ｂ、２７ｂを重ねて一体化することにより、図９に示すような四本イカリ型フック１０が製造することができる。
【００２４】
図９は、ルアー本体１の腹部１ｂに取り付けられたフック１０がルアー本体１と共に水中を前進するときの様子を示す。すなわち、フック１０が水の抵抗を受けて腹部１ｂへと揺動すると、二本のダブルフック２５、２７の一本ずつの計二本のベント２５ｃ、２７ｃが腹部１ｂの両側面に接触又は接近し、残りの二本が腹部１ｂから大きく突出する。この場合、二本のダブルフック２５、２７の長さサイズが大小相違しているので、腹部１ｂの両側面に沿う二本のベント２５ｃ、２７ｃの針先の位置がルアー本体１の長さ方向で前後に相違し、同様にして腹部１ｂから突出する二本のベント２５ｃ、２７ｃの針先の位置もルアー本体１の長さ方向前後で相違して、ルアー本体１に近づく魚に引っ掛かる位置が前後で相違する。このように四本ベントの針先の位置をルアー本体１の長さ方向で前後に相違させることにより、ルアー本体１の長さ方向の前後２箇所で魚を掛けることが期待でき、魚の掛け率向上が期待できる。
【００２５】
【発明の効果】
この発明のルアー用フックによれば、このフックをルアー本体に連結してルアー本体と共に水中を前進させると、シャンク部の先端から十文字状に拡がる四本のベント部のいずれか隣接する二本がルアー本体側に接触又は接近し、残りの二本がルアー本体から大きく突出する形となり、主にこの突出する二本のベント部の針先にルアー本体に近づく魚が引っ掛かるようになって、魚の掛け率が向上するルアーフィッシングに好適なフックとルアー仕掛けが提供できる。
【００２６】
また、四本イカリ型のルアー用フックのアイ部と十文字状の四本のベント部を約４５°の相違する角度を持たせて形成することによりと、アイ部を既存のルアー本体に従来と同様な構造で連結しても、四本のベント部の隣接する二本がルアー本体の長さ方向の前方に向き、残り二本がルアー本体の長さ方向の後方に向いて、四本のベント部のルアー本体に対する方向性が常に適正となり、ルアー本体に四本イカリ型フックを連結してルアー仕掛けを製作する作業が容易となる。
【図面の簡単な説明】
【図１】（Ａ）は第１の実施の形態を示すフックの平面図、
（Ｂ）は図１（Ａ）のフックのイ矢視図、
（Ｃ）は図１（Ａ）のフックのロ矢視図である。
【図２】（Ａ）は図１フックを使用したルアー仕掛けの正面図、
（Ｂ）は図２（Ａ）のＴ１−Ｔ１線の拡大断面図である。
【図３】（Ａ）は図２のルアー仕掛けの使用時の正面図、
（Ｂ）は図３（Ａ）のＴ２−Ｔ２線の拡大断面図である。
【図４】（Ａ）は図１フックの分解正面図、
（Ｂ）は図１フックの分解平面図である。
【図５】（Ａ）は別の実施の形態を示すフックの分解正面図、
（Ｂ）は図５（Ａ）のフックの分解平面図である。
【図６】（Ａ）は別の実施の形態を示すフックの分解正面図、
（Ｂ）は図６（Ａ）のフックの分解平面図である。
【図７】別の実施の形態を示すフックの分解正面図である。
【図８】別の実施の形態を示すフックの分解正面図である。
【図９】図８のフックの使用時の正面図である。
【図１０】一般的なルアー仕掛けの正面図である。
【図１１】（Ａ）は図１０ルアー仕掛けのフックの正面図、
（Ｂ）は図１１（Ａ）のフックの平面図である。
【図１２】図１０ルアー仕掛けの使用時の部分拡大正面図である。
【図１３】図１２のＴ３−Ｔ３線の断面図である。
【符号の説明】
１    ルアー本体
１ａ    頭部
１ｂ    腹部
１ｃ    尾部
２    アイ
３    アイ
４    スプリットリング
１０    ルアー用フック
１１    アイ部
Ｌ    アイ部の穴の中心線
θ    約４５°
１２    シャンク部
１３    ベント部
１４    カエリ
【図１】
0003737737.tif 000002
【図２】
0003737737.tif 000003
【図３】
0003737737.tif 000004
【図４】
0003737737.tif 000005
【図５】
0003737737.tif 000006
【図６】
0003737737.tif 000007
【図７】
0003737737.tif 000008
【図８】
0003737737.tif 000009
【図９】
0003737737.tif 000010
【図１０】
0003737737.tif 000011
【図１１】
0003737737.tif 000012
【図１２】
0003737737.tif 000013
【図１３】
0003737737.tif 000014